(57)【要約】【課題】  既存の電気設備に連繋させて取り付けることにより、それぞれの電気設備を遠隔操作によりオン・オフ操作することができる遠隔スイッチ装置とこれを利用した遠隔操作システムを提供する。【解決手段】  遠隔操作対象となる電気設備５と商用電源等の電源６との間にCPU11により動作が制御されるリレースイッチ14を介在させる。CPU11には通信用チップ12の出力信号が入力されており、アンテナ部13により捕捉された動作指令の無線信号を判別し、当該遠隔スイッチ装置10に対する指令である場合には、CPU11に動作の指令を行う。CPU11がこの指令に基づいてリレースイッチ14をオン・オフ制御を行う。また、この遠隔スイッチ装置10を経由した電力が下流の電気設備５に通じるようにしてあり、それぞれの電気設備５に取り付けることにより、それぞれの電気設備５を個別に制御することができる。【選択図】        図１
2012090070.tif 000002
【特許請求の範囲】
【請求項１】
各種の電気設備を駆動電源と断続するためのスイッチであって、遠隔からの操作によりオン・オフを行う遠隔スイッチ装置において、
商用電源と前記電気設備との間に介在させたリレースイッチと、
遠隔で操作された前記電気設備の動作指令に係る無線信号を受信するアンテナ部と、
前記アンテナ部に接続され、前記無線信号を制御する通信用チップと、
前記通信用チップにより制御された無線信号による前記電気設備の動作指令に基づいて、前記リレースイッチのオン・オフを制御する制御手段と、
電源部とからなり、
商用電源からの電力を前記リレースイッチから前記電気設備へ供給すると共に、該商用電源からの電力を下流側の電気設備へ供給することを特徴とする遠隔スイッチ装置。
【請求項２】
前記リレースイッチを複数個にして設置し、それぞれのリレースイッチから個別にそれぞれの電気設備へ電力を供給することを特徴とする請求項１に記載の遠隔スイッチ装置。
【請求項３】
各種の電気設備の動作を遠隔からの操作する遠隔操作システムにおいて、
商用電源と前記電気設備との間に介在させたリレースイッチと、遠隔で操作された前記電気設備の動作指令に係る無線信号を受信するアンテナ部と、前記アンテナ部に接続され、前記無線信号を制御する通信用チップと、前記通信用チップにより制御された無線信号による前記電気設備の動作指令に基づいて、前記リレースイッチのオン・オフを制御する制御手段と、電源部とからなり、商用電源からの電力を前記リレースイッチから前記電気設備へ供給すると共に、該商用電源からの電力を下流側の電気設備へ供給する遠隔スイッチ装置を、遠隔操作の対象となる電気設備のそれぞれに接続させ、
前記通信用チップに動作指令に係る無線信号を、それぞれの電気設備毎に送信することによりそれぞれの電気設備の動作の操作を行うことを特徴とする遠隔操作システム。
【請求項４】
前記リレースイッチを複数個にして設置し、それぞれのリレースイッチから個別にそれぞれの電気設備へ電力を供給してあることを特徴とする請求項３に記載の遠隔操作システム。
【請求項５】
前記動作指令に係る無線信号を通信機器から送出し、
前記通信機器にサーバーから動作指令に係る信号を送出し、
前記サーバーに対して、電気設備の動作指令を個人端末から送出することを特徴とする請求項３または請求項４に記載の遠隔操作システム。
【請求項６】
前記遠隔スイッチ装置へは、無線LANその他の通信方式による通信手段を介して通信機能を備えた通信機器から動作指令に係る無線信号を送出することを特徴とする請求項３から請求項５までのいずれかに記載の遠隔操作システム。
【請求項７】
前記商用電源からの電力の供給を停止した際に、前記制御手段は前記リレースイッチの当該時の状態を記憶して、電力の供給が再開された場合には記憶された状態でリレースイッチを駆動することを特徴とする請求項３から請求項６までのいずれかに記載の遠隔操作システム。
【請求項８】
前記遠隔スイッチ装置を複数台の電気設備のそれぞれに介在させて、これら複数台の電気設備を個別に遠隔で操作することを特徴とする請求項３から請求項７までのいずれかに記載した遠隔操作システム。
【発明の詳細な説明】
【技術分野】
【０００１】
この発明は、例えば、照明器具や空調空気の吹出口装置等、同一の室内に多数が配設されている機器装置等の電気設備であって、省エネ面で有利であったり、好みの快適空間を得やすい等の理由から個別にオン・オフできるようにすることが望まれる設備を、遠隔操作でオン・オフできる遠隔スイッチ装置に関し、特に既設の照明器具等を個別にオン・オフできるように改良するのに適した遠隔スイッチ装置と、この遠隔スイッチ装置を用いて電気設備を遠隔操作する遠隔操作システムに関する。
【背景技術】
【０００２】
例えば、事務室等の天井照明1a、1bは、図６に示すように、出入口のドアの側部壁面に配された主スイッチ２を操作することにより、室内の全ての天井照明１の点灯と消灯が行われたり、あるいは、列毎に主スイッチ２が配されて、当該主スイッチ２の操作によってその列に含まれる全ての天井照明１の点灯と消灯とが行われるものがある。これは、マルチドロップによっていわゆるわたり配線３されているため、おおもとの照明用の主スイッチ２を操作されることで天井照明１への通電と非通電とが切り替えられるものである。
【０００３】
一方、特許文献１には、既設の電気機器をそのまま利用して見通し外からの遠隔操作を可能とする電気機器の動作状態制御システムが開示されている。この制御システムは、利用者が操作して動作状態を切替えるための操作手段により操作される電気機器と、当該電気機器の動作用電源との間に通信制御手段を配置し、前記電気機器の動作状態を、前記操作手段における操作とは独立に操作して切替えるための動作状態切替え手段を前記電気機器に配置し、前記動作状態切替え手段を、前記通信制御手段と見通し外通信を行う遠隔操作用端末を利用者が操作することで、前記通信制御手段を介して制御可能とするようにしたものである。
【先行技術文献】
【特許文献】
【０００４】
【特許文献１】特開２００４−１４７０６５号公報
【発明の概要】
【発明が解決しようとする課題】
【０００５】
ところで、事務室等にあっては、天井照明は事務処理等を行っている執務者の机上を照明する必要があるが、不在者の机上を照明することは、省エネの面で不都合である。空調装置についても同様であり、不在者の近傍に空調空気を吹き出していては不都合である。しかし、前述したように、スイッチのオン・オフで事務室の全ての天井照明が、あるいは同一の列に含まれる天井照明が、点灯し消灯するものであるため、不在者の有無とは無関係に点灯することになる。
【０００６】
そこで、この発明は、既存の設備であっても個別にオン・オフさせることができるように、個別の設備に配設して遠隔にて操作して該当する設備のオン・オフを行えるようにする遠隔スイッチ装置を提供することを目的としている。
【課題を解決するための手段】
【０００７】
前記目的を達成するための技術的手段として、この発明に係る遠隔スイッチ装置は、各種の電気設備を電源と断続するためのスイッチであって、遠隔からの操作によりオン・オフを行う遠隔スイッチ装置において、電源と前記電気設備との間に介在させたリレースイッチと、遠隔で操作された前記電気設備の動作指令に係る無線信号を受信するアンテナ部と、前記アンテナ部に接続され、前記無線信号を制御する通信用チップと、前記通信用チップにより制御された無線信号による前記電気設備の動作指令に基づいて、前記リレースイッチのオン・オフを制御する制御手段と、電源部とからなり、電源からの電力を前記リレースイッチから前記電気設備へ供給すると共に、該電源からの電力を下流側の電気設備へ供給することを特徴としている。
【０００８】
前記遠隔スイッチ装置に無線信号により動作指令を送信すると、前記アンテナ部で受信され、前記通信用チップで信号が認識され、その信号が自分のアドレスに送信された指令なのか否かが前記制御手段で判別される。当該遠隔スイッチ装置に対する動作指令を受信したならば、前記制御手段にこの遠隔スイッチ装置の動作指令を送出する。制御手段をこの動作指令に基づいて、前記リレースイッチのオン・オフを制御する。リレースイッチがオンされた場合には、前記電気設備と電源とが導通して該電気設備が作動する。リレースイッチがオフされた場合には動作している電気設備が停止する。
【０００９】
また、前記リレースイッチを複数個にして設置し、それぞれのリレースイッチから個別にそれぞれの電気設備へ電力を供給することを特徴としている。
【００１０】
前記リレースイッチを並列に配設し、それぞれのリレースイッチに個別に電気設備を対応させて配線するようにしたものである。前記制御手段に複数台のリレースイッチが接続されており、全てのリレースイッチの動作を一致させるように該制御手段で制御することも、あるいは、個別にリレースイッチの動作を制御することもできる。
【００１１】
また、この発明に係る電気設備の遠隔操作システムは、各種の電気設備の動作を遠隔から操作する遠隔操作システムにおいて、電源と前記電気設備との間に介在させたリレースイッチと、遠隔で操作された前記電気設備の動作指令に係る無線信号を受信するアンテナ部と、前記アンテナ部に接続され、前記無線信号を制御する通信用チップと、前記通信用チップにより制御された無線信号による前記電気設備の動作指令に基づいて、前記リレースイッチのオン・オフを制御する制御手段と、電源部とからなり、電源からの電力を前記リレースイッチから前記電気設備へ供給すると共に、該電源からの電力を下流側の電気設備へ供給する遠隔スイッチ装置を、遠隔操作の対象となる電気設備のそれぞれに接続させ、前記通信用チップに動作指令に係る無線信号を、それぞれの電気設備毎に送信することによりそれぞれの電気設備の動作の操作を行うことを特徴としている。
【００１２】
前述したように、前記遠隔スイッチ装置に無線信号により動作指令が送信され、この信号を自身に対するものであると制御手段で判別されると、前記リレースイッチを動作させて、電気設備を作動させ、あるいは停止させる。
【００１３】
一方、前記動作指令の無線信号が自身に対するものでない遠隔スイッチ装置では、当該時の状態が維持される。
【００１４】
すなわち、前記無線信号を所望の電気設備に対応させたものを送信することにより、当該電気設備の動作が制御されることになる。例えば、事務室等の天井照明のそれぞれにこの遠隔スイッチ装置を取り付ければ、所望の天井照明の点灯、消灯を遠隔操作することができることになる。
【００１５】
また、請求項４の発明に係る遠隔操作システムは、前記リレースイッチを複数個にして設置し、それぞれのリレースイッチから個別にそれぞれの電気設備へ電力を供給してあることを特徴としている。
【００１６】
また、請求項５の発明に係る遠隔操作システムは、前記動作指令に係る無線信号を通信機器から送出し、  前記通信機器にサーバーから動作指令に係る信号を送出し、前記サーバーに対して、電気設備の動作指令を個人端末から送出することを特徴としている。
【００１７】
前記サーバーに対して動作指令を行う個人端末には、パーソナルコンピュータ（PC）や携帯情報端末（PDA）、携帯電話等の移動体通信であって、電気設備の制御を行うためのユーザーインターフェースを備えているものである。これらの個人端末からサーバーに対して動作指令を行うと、該サーバーが該当する電気設備に取り付けられた遠隔スイッチ装置に対して該電気設備の動作の制御を行うよう指令する。
【００１８】
また、請求項６の発明に係る遠隔操作システムは、前記遠隔スイッチ装置へは、無線LANその他の通信方式による通信手段を介して通信機能を備えた通信機器から動作指令に係る無線信号を送出することを特徴としている。
【００１９】
前記サーバーから無線LANによって前記通信用チップへ動作指令を送出するようにしたものである。サーバーへは前記個人端末から動作指令が送出される。なお、通信方式としては、Bluetooth、Zigbee、赤外線通信等を利用できる。
【００２０】
また、請求項７の発明に係る遠隔操作システムは、前記電源からの電力の供給を停止した際に、前記制御手段が前記リレースイッチの当該時の状態を記憶して、電力の供給が再開された場合には記憶された状態でリレースイッチを駆動することを特徴としている。
【００２１】
事務室等の天井照明の場合、職務内容によっては頻繁に出張し、その期間も中期から長期に至る間で不在の事務員がいる。その場合、当該事務員の事務机を照明する天井照明は消灯してあることが好ましく、当該事務員が．出張から戻った場合に点灯することになる。このような場合はサーバーに搭載されたスケジュール機能であらかじめ事務員のスケジュールを設定することで、照明を消灯（または点灯）したままにすることが出来る。また、主スイッチをオフさせて全ての天井照明を消灯させてから、主スイッチをオンさせて点灯させた場合や、停電からの復電時には、消灯時におけるそれぞれの天井照明の点灯・消灯の状態を遠隔スイッチ装置は記憶しておき、それを再現する。
【００２２】
また、請求項８の発明に係る遠隔操作システムは、前記遠隔スイッチ装置を複数台の電気設備のそれぞれに介在させて、これら複数台の電気設備を個別に遠隔で操作することを特徴としている。
【発明の効果】
【００２３】
この発明に係る遠隔スイッチ装置によれば、既設の電気設備の配線に介在させることで、当該電気設備の遠隔操作を行うことができる。既設の電気設備を有効利用し、新たな電気設備に取り換える必要がなく、また既設の電源配線のわずかな配線替えだけで取り付けができるので、遠隔操作システムを導入する際のコストを抑制できる。
【００２４】
また、この発明に係る遠隔操作システムによれば、複数個の既存の電気設備のオン・オフを個別に遠隔操作することを可能とすることができる。
【００２５】
また、請求項２の発明に係る遠隔スイッチ装置または請求項４の発明に係る遠隔操作システムによれば、一基の遠隔スイッチ装置によって複数台の電気設備のオン・オフを行うことができ、より操作が簡単となる。また、複数台の電気設備のオン・オフを個別に行うよう、前記制御手段により制御させることもできる。
【００２６】
また、請求項５の発明に係る遠隔操作システムによれば、個人端末より各人が簡便に操作を行うことができる。
【００２７】
また、請求項６の発明に係る遠隔操作システムによれば、事務室等に配されている既存の無線を介したLAN（Local Area Network）を利用することで、簡便にこの遠隔操作システムを導入することができる。
【００２８】
また、請求項７の発明に係る遠隔操作システムによれば、省エネ面でより有利なシステムとすることができる。
【図面の簡単な説明】
【００２９】
【図１】この発明に係る遠隔スイッチ装置の構成を説明するブロック図であり。
【図２】天井照明に遠隔スイッチ装置を組み込んだ状態の概略を示し、遠隔操作システムを説明する図である。
【図３】この発明に係る遠隔操作システムの構成を説明する図である。
【図４】この発明に係る遠隔操作システムにより行う、天井照明のオン・オフ制御を説明する図である。
【図５】この発明に係る遠隔スイッチ装置の他の実施形態の構成を説明するブロック図であり、図１に対応させた図である。
【図６】事務室等の天井照明の従来の配線状態を説明する図である。
【発明を実施するための形態】
【００３０】
以下、図示した好ましい実施形態に基づいて、この発明に係る遠隔スイッチ装置と、この遠隔スイッチ装置を用いて遠隔操作システムとを具体的に説明する。
【００３１】
図１はこの遠隔スイッチ装置10の構成を示すブロック図であり、既存の電気設備５と商用電源等の電源６とを接続した配線に介在される。この遠隔スイッチ装置10は、制御手段を構成するCPU（中央処理装置）11を主体として構成されている。このCPU11には、演算装置と主記憶装置、制御装置とが含まれている。このCPU11の入力ポートにはネットワークの物理層を制御する通信用チップ12による制御信号が入力されている。また、この通信用チップ12にはアンテナ部13が接続されて該アンテナ部13で捕捉された動作指令に係る無線信号が入力される。
【００３２】
前記CPU11の出力ポートにはリレースイッチ14の操作部が接続されており、このリレースイッチ14のオン・オフを行わせる制御信号が送出される。リレースイッチ14の入力側端子は、この遠隔スイッチ装置10に設置された第１入力端子10aを介して電源６に接続されている。また、この第１入力端子10aと、電源６に接続された第２入力端子10bとには、この遠隔スイッチ装置10の駆動電力を提供する電源部15が接続されている。リレースイッチ14の出力側端子には、前記電気設備５の一方の入力端子に接続され、この電気設備５の他方の入力端子には前記第２入力端子10bを介して電源６に接続されている。したがって、リレースイッチ14のオンによって、該リレースイッチ14を介して電気設備５が電源６と導通することになり、該電気設備５が通電時の動作を行うことになる。例えば、該電気設備５が照明器具の場合には、照明が点灯することになる。なお、電源６の配線には主スイッチ２が設けられており、この主スイッチ２のオン・オフにより電気設備５への給電の断続が行われる。
【００３３】
また、遠隔スイッチ装置10に設置された第１出力端子10cと第２出力端子10dとには、それぞれ前記第１入力端子10aと第２入力端子10bとが接続され、これら第１出力端子10cと第２出力端子10dとは、この遠隔スイッチ装置10の下流側にある電気設備に接続されている。すなわち、この下流側にある電気設備は、第１入力端子10aと第１出力端子10c及び第２入力端子10bと第２出力端子10dを介して電源６に接続されている。このため、遠隔スイッチ装置10の動作に拘わらず、この下流側の電気設備には電源６から給電されている。また、前記リレースイッチ14の入力側端子と出力側端子とをジャンパースイッチ16を介して接続させてあり、遠隔スイッチ装置10に故障等が生じた場合には、このジャンパースイッチ16を接続させることにより、既設の配線と同じ配線状態になって、主スイッチ2の操作通りに電気設備５を動作させることができるようになる。
【００３４】
この遠隔スイッチ装置10 は、既存の電気設備５と電源６との間に介在させて接続することができる。そして、この遠隔スイッチ装置10 に対して無線機等から発信された動作指令に係る無線信号が前記アンテナ部13 で受信されると、前記通信用チップ12 に入力され、前記CPU11でその動作指令に係る信号がこの遠隔スイッチ装置10 に対するものか否かが判別される。この遠隔スイッチ装置10に対する動作指令である場合には、前記CPU11に対してこの動作指令を送出し、このCPU11から前記リレースイッチ14に動作指令が発せられることになる。例えば、リレースイッチ14がオフの状態にある場合に、これをオンする動作指令が発せられた場合には、リレースイッチ14がオンされる。これにより、電気設備５が通電して、例えば照明器具である場合には、点灯することになる。
【００３５】
次に、前記遠隔スイッチ装置10を用いた遠隔操作システムについて説明する。
【００３６】
図２は既存の天井照明1a、1bに遠隔スイッチ装置10を組み込んだ状態を示しており、天井照明1a、1bのそれぞれに個別に遠隔スイッチ装置10が組み込まれている。他方、事務員のそれぞれには職務で使用するパーソナルコンピュータ20が配され、これらはLANで接続されており、特にサーバー21を中心として接続されている。図３に示すように、サーバー21からは無線LANを介して無線機24に動作指令を送出し、この無線機24から前記遠隔スイッチ装置10に対して動作指令の無線信号を送出する。なお、無線機24と遠隔スイッチ装置10との間の通信手段としては、無線LANやBluetooth、Zigbee、赤外線通信等を利用することができる。
【００３７】
また、事務員等がPCやPDA、携帯電話等の個人端末によって遠隔スイッチ装置10に動作指令を送信しようとする場合には、個人端末からサーバー21のWEB画面にアクセスし、該サーバー21から無線機に対して動作指令が送信されるようにする。
【００３８】
図４は、遠隔スイッチ装置10の操作方式の一例を示すものである。事務室の天井照明の点灯と消灯を行う場合に、パーソナルコンピュータ20の表示装置20aには、同図に拡大して示すように、室内に配置された机22と執務者の在否が表示される。例えば、執務者の在否は、表示部23が点灯している場合には在籍を、消灯している場合には不在を示すようにしてある。また、執務者の在否は、自席や特定のエリア内に存することを、RFID(Radio Frequency Identification)や人感センサ、指紋認証、虹彩認証等の個人認証システムにより行い、個人認証システムで存在が確認された執務者について表示部23を点灯させることができる。
【００３９】
そして、前記表示装置20aを確認して、執務者が不在の位置に対応する天井照明１を消灯する。なお、１台の天井照明１を複数の執務者が共有している場合には、例えば、1名が不在になったとしても、そのほかの在席者に必要な明るさを減じないようにサーバーがチェックしたうえで、消灯可能な場合は照明を消灯するようにすることもできる。
【００４０】
事務室の天井照明１には主スイッチ２が介在させてあり、この主スイッチ２のオン・オフにより全ての天井照明１への通電と非通電とを切り替えることができる。すなわち、主スイッチ２をオフすることで全ての天井照明１を消灯できる。そして、主スイッチ２をオンすると、天井照明１が点灯する。このとき、主スイッチ２をオフする直前の点灯・消灯状態が、遠隔スイッチ装置10のCPU11の主記憶装置にリレースイッチ14の状態が記憶されて、主スイッチ２のオンによって再現される。
【００４１】
また、執務者が当該事務室に入退室したことを管理する入退室管理システムが備えられている場合には、この入退室管理システムによる執務者の存否が確認されるので、入室時には該執務者の机22に対応した天井照明１を点灯させるようにすることもできる。あるいは、会議室等の共有スペースでは、天井照明１を、会議開始前では最初の参加者の入室が確認された時点で点灯させ、会議終了後には最後の参加者の退出が確認された時点で消灯させるようにすることもできる。
【００４２】
また、サーバー21のデータベースに天井照明１の点灯・消灯の履歴を記憶させることができる。また、天井照明１のそれぞれは、対応する執務者と連繋させてあるから、当該個人あるいはこの個人の机22を含むエリアにおける天井照明１のオン・オフ状態を把握でき、使用電力量等を算出することができる。
【００４３】
以上説明した実施形態では、天井照明１の遠隔操作について説明したが、複数個の同種の電気設備を備えたシステムであれば、例えば空調空気の吹出口装置の開閉や開度調整等に利用することもできる。
【００４４】
また、以上の説明では天井照明１に対して個別に遠隔スイッチ装置10を取り付けたものとして説明したが、図５に示すように、複数台の電気設備を１つのグループとし、このグループについて一基の遠隔スイッチ装置30を対応させて、グループ毎にオン・オフ操作を行わせることもできる。
【００４５】
図５に示すように、制御手段11に対して複数個のリレースイッチ14a〜14eを並列に接続させ、それぞれのリレースイッチ14a〜14eに個別に電気設備5a〜5eを対応させて接続させたものである。また、それぞれのリレースイッチ14a〜14eには、バイパス用のジャンパスイッチ16a〜16eを接続させてある。なお、図１に示す実施形態と同一の部分については同一の符号を付してある。
【００４６】
この実施形態に係る遠隔スイッチ装置30によれば、例えば、近くに席がある複数の執務者についての照明、空調機器、共通の情報機器等の同一の或いは異なる種類の電気設備5a〜5eを一基の遠隔スイッチ装置30に接続させることにより、これらの電気設備5a〜5eのオン・オフ操作を同時に行うことができる。この場合、オフ時のリレースイッチ14a〜14eのオン・オフの状態をCPU11に記憶させ、オンされた際にオフ時の状態を復元するようにすることもできる。
【産業上の利用可能性】
【００４７】
この発明に係る遠隔スイッチ装置によれば、既存の電気設備に取り付けることができるので、コストを抑制して省エネに寄与することができ、この遠隔操作システムによれば、各電気設備について細かくオン・オフを制御することができるので、省エネを図ることに寄与する。
【符号の説明】
【００４８】
１、1a、1b  天井照明
２  主スイッチ
５  電気設備
６  電源
10  遠隔スイッチ装置
11  CPU
12  通信用チップ
13  アンテナ部
14  リレースイッチ
15  電源部
16  ジャンパースイッチ
20  パーソナルコンピュータ
20a  表示装置
21  サーバー
24  無線機
30  遠隔スイッチ装置
【図１】
2012090070.tif 000003
【図２】
2012090070.tif 000004
【図３】
2012090070.tif 000005
【図４】
2012090070.tif 000006
【図５】
2012090070.tif 000007
【図６】
2012090070.tif 000008